(57)【要約】【課題】天井裏空間の高さに関係なく施工可能であって、しかも冷暖房の立ち上がりや除湿能力に優れた放射空調システムを提供する。【解決手段】室内空間１を区画する面１１に離間配置されて室内空間１への熱放射ＴＲを行う放射パネル２と、室内空間１の空気を取り込んで面１１と放射パネル２との間の空調空気流通空間Ｓ１へ空調空気を供給する空調機３と、からなり、空調空気流通空間Ｓ１は室内空間１へ開放されている。放射パネル２は、空調空気流通空間Ｓ１へ供給された空調空気によって冷却又は加熱されて熱放射ＴＲによる放射冷暖房を行い、空調空気流通空間Ｓ１を通過した空調空気が室内空間１へ流出することによって室内空間１の空気を調温する室内対流冷暖房を行う。【選択図】図１
2016003808.tif 000002
【特許請求の範囲】
【請求項１】
室内空間を区画する面に離間配置されて室内空間への熱放射を行う放射パネルと、室内空間の空気を取り込んで前記室内空間を区画する面と前記放射パネルとの間の空調空気流通空間へ空調空気を供給する空調機と、からなり、前記空調空気流通空間は前記室内空間へ開放されていることを特徴とする放射空調システム。
【請求項２】
室内空間を区画する面のうち空調空気流通空間を介して放射パネルと対向する位置に断熱板を設けたことを特徴とする請求項１に記載の放射空調システム。
【請求項３】
断熱板が、室内空間を区画する面に所要の間隔をもって離間配置されたことを特徴とする請求項２に記載の放射空調システム。
【請求項４】
空調空気流通空間を介して放射パネルと対向する面に、板状又は膜状の反射材を設けたことを特徴とする請求項１〜３のいずれかに記載の放射空調システム。
【請求項５】
放射パネルが水蒸気の通過を許容する透湿性を有する材料からなることを特徴とする請求項１〜４のいずれかに記載の放射空調システム。
【請求項６】
空調空気流通空間の外周部に、室内空間への空調空気の流出範囲を制限する堰き止め部を設けたことを特徴とする請求項１〜５のいずれかに記載の放射空調システム。
【請求項７】
空調空気流通空間に、この空調空気流通空間を複数の流路に分割する仕切り部を設け、空調機からの空調空気の供給を、前記複数の流路に選択的に切り替え可能としたことを特徴とする請求項１〜６のいずれかに記載の放射空調システム。
【請求項８】
放射パネルに、室内空間を照明する照明器具を取り付けたことを特徴とする請求項１〜７のいずれかに記載の放射空調システム。
【発明の詳細な説明】
【技術分野】
【０００１】
本発明は、熱の放射により室内空間の空調を行う空調システムに関するものである。
【背景技術】
【０００２】
室内空間の温湿度環境を快適にするための空調機は、空調空気を室内空間へ噴き出して対流させるものが一般的である。このような空気噴流式の空調機によれば、室内空間に気流が発生し、その気流が人体に直接当たることで不快を感じることがある。そこで近年は、不快な気流感や、室内空間の上下温度分布が発生しにくい放射空調システムが注目されている。
【０００３】
図９は、この種の放射空調システムの従来技術を示すものである。すなわち図９に示す放射空調システムは、天井材１０１の裏側に上部及び側部が断熱材１０２によって適切に断熱され密閉された天井裏空間１０４を形成して、この天井裏空間１０４に空気調和機１０３からの冷却空気又は加熱空気Ａを供給して、天井材１０１からの熱放射により室内空間１０５の冷暖房を行うものである（下記の特許文献１参照）。
【０００４】
ここで、ヒトの体感温度は、おおよそ次式（１）で表すことができる。
【数１】
2016003808.tif 000003
そして放射空調システムは、式（１）におけるｔ２を調整することによって適正な体感温度を得ようとするものであり、空調空気を室内空間へ噴き出す一般的な空気噴流式の空調システムと比較して、空気を攪拌する必要がないので、不快な気流感や空調騒音が少なく、室内の空気温度自体は、冬は低めに、夏は高めに抑えられるので、窓を通した熱漏れや換気によるエネルギーロスが少なくなり、さらには空気温度の設定が抑えられるため、冬の相対湿度は高めに、夏の相対湿度は低めにシフトし、快適な湿度環境が形成されるといった利点があり、就寝中の人や低代謝の人に適した空調システムであるといえる。
【先行技術文献】
【特許文献】
【０００５】
【特許文献１】特開平５−１４９５８６号公報
【発明の概要】
【発明が解決しようとする課題】
【０００６】
しかしながら、図９に示す従来の技術による放射空調システムは、空調機１０３や断熱材１０２や配管などを天井裏空間１０４に設置するものであることから、施工やメンテナンスなどが天井裏での作業となり、しかも天井裏空間１０４の高さがある程度高いものである必要がある。しかも、天井裏空間１０４がある程度加熱あるいは冷却されないと、天井材１０１から室内空間１０５への放射が行われないため冷暖房の立ち上がりが悪く、このため室内空間１０５が快適な空間となるのに長時間を要し、室内空間１０５で発生した水分を透湿性のある天井材１０１を用いて天井裏空間１０４へ透過させることによって除湿効果を期待しているが、一般的な室内対流による空調方式に比較して、除湿能力が劣る懸念もあった。
【０００７】
本発明は、以上のような点に鑑みてなされたものであって、その技術的課題とするところは、天井裏空間の高さに関係なく施工可能であって、しかも冷暖房の立ち上がりや除湿能力に優れた放射空調システムを提供することにある。
【課題を解決するための手段】
【０００８】
上述した技術的課題を有効に解決するための手段として、請求項１の発明に係る放射空調システムは、室内空間を区画する面に離間配置されて室内空間への熱放射を行う放射パネルと、室内空間の空気を取り込んで前記室内空間を区画する面と前記放射パネルとの間の空調空気流通空間へ空調空気を供給する空調機と、からなり、前記空調空気流通空間は前記室内空間へ開放されていることを特徴とするものである。なお、ここでいう「室内空間を区画する面」とは、天井面、壁面、床面を総称するものである。
【０００９】
請求項１の構成によれば、放射パネルは、この放射パネルと、室内空間を区画する面との間の空調空気流通空間へ、空調機から空調空気（冷却空気又は加熱空気）を供給することによって、この空調空気が擦過する過程で熱交換されて冷却又は加熱され、その表面温度に応じた放射強度で室内空間へ熱放射することによる放射冷暖房を行い、すなわち先に説明した式（１）におけるｔ２を調整するものである。一方、放射パネルと熱交換されることによって適宜昇温した前記冷却空気又は適宜降温した前記加熱空気は、前記空調空気流通空間の開放端部から室内空間へ流出し、対流によって室内空間の空気を調温する室内対流冷暖房を行い、すなわち式（１）におけるｔ１を調整して、上記放射冷暖房効果を補うものである。
【００１０】
また、請求項２の発明に係る放射空調システムは、請求項１に記載の構成において、室内空間を区画する面のうち空調空気流通空間を介して放射パネルと対向する位置に断熱板を設けたことを特徴とするものである。
【００１１】
請求項２の構成によれば、空調機からの空調空気が空調空気流通空間を通過する過程で室内空間を区画する面と熱交換されることによる熱損失が断熱板によって抑制されるので、放射パネルからの熱放射効率、及び前記空調空気流通空間の開放端部から室内空間へ流出する空調空気による調温効率を高めると共に、冷房運転時に室内空間を区画する面が冷却されることによる結露の発生を防止することができる。
【００１２】
請求項３の発明に係る放射空調システムは、請求項２に記載の構成において、断熱板が、室内空間を区画する面に所要の間隔をもって離間配置されたことを特徴とするものである。
【００１３】
請求項３の構成によれば、室内空間を区画する面における既設部材等との断熱板の干渉を回避することが可能であり、あるいは室内空間を区画する面と断熱板の間の空間を利用して電気配線などを行うことも可能である。また、室内空間を区画する面と断熱板の間に介在する空気層が、断熱板から室内空間を区画する面への伝熱を絶縁する作用を奏するため、このことも、放射パネルからの熱放射効率、及び空調空気流通空間の開放端部から室内空間へ流出する空調空気による調温効率の向上に貢献する。
【００１４】
請求項４の発明に係る放射空調システムは、請求項１〜３のいずれかに記載の構成において、空調空気流通空間を介して放射パネルと対向する面に、板状又は膜状の反射材を設けたことを特徴とするものである。
【００１５】
請求項４の構成によれば、空調機からの空調空気が空調空気流通空間を通過する過程で放射パネルと対向する面（室内空間を区画する面又は断熱板）側へ熱放射することによる熱損失、あるいは前記放射パネルが室内空間と反対側の面（空調空気流通空間側の面）から熱放射することによる熱損失が、反射材によって抑制されるので、放射パネルから室内空間への熱放射効率、及び前記空調空気流通空間の開放端部から室内空間へ流出する空調空気による調温効率を高めることができる。
【００１６】
請求項５の発明に係る放射空調システムは、請求項１〜４のいずれかに記載の構成において、放射パネルが水蒸気の通過を許容する透湿性を有する材料からなることを特徴とするものである。
【００１７】
請求項５の構成によれば、冷房運転時に空調空気流通空間を通過する空調空気（冷却空気）によって冷却される放射パネルに結露を生じるのを防止することができる。
【００１８】
請求項６の発明に係る放射空調システムは、請求項１〜５のいずれかに記載の構成において、空調空気流通空間の外周部に、室内空間への空調空気の流出範囲を制限する堰き止め部を設けたことを特徴とするものである。
【００１９】
請求項６の構成によれば、空調機から空調空気流通空間を経由して室内空間へ流出する空調空気が堰き止め部によって一定の方向へ案内され、空調空気により冷却又は加熱される放射パネルの表面（放射面）の温度ムラができにくくなるので、室内空間への放射の均一化を図ることができる。
【００２０】
請求項７の発明に係る放射空調システムは、請求項１〜６のいずれかに記載の構成において、空調空気流通空間に、この空調空気流通空間を複数の流路に分割する仕切り部を設け、空調機からの空調空気の供給を、前記複数の流路に選択的に切り替え可能としたことを特徴とするものである。
【００２１】
請求項７の構成によれば、空調空気により冷却又は加熱される放射パネルによる熱放射の稼働範囲を任意に制御することができる。
【００２２】
請求項８の発明に係る放射空調システムは、請求項１〜７のいずれかに記載の構成において、放射パネル２に、室内空間を照明する照明器具を取り付けたことを特徴とするものである。
【００２３】
請求項８の構成によれば、本発明の放射空調システムを設けずに天井面に照明器具を取り付けた場合と同様の室内照明を確保することができる。
【発明の効果】
【００２４】
本発明に係る放射空調システムによれば、空調機等を必ずしも天井裏空間に設置する必要がなく、設置の自由度が高まるため、天井裏空間の高さに関係なく施工可能である。また、放射パネルからの熱放射による放射冷暖房効果と、放射パネルの裏側の空調空気流通空間の開放端部から冷却空気又は加熱空気が室内空間へ流出することによる対流冷暖房効果が互いに補完し合うため、立ち上がり性に優れた冷暖房が可能となる。しかも、空調機は対流冷暖房用と同様に室内空気を取り込んで空調するものであるため、冷房時における除湿性を確保することができる。
【図面の簡単な説明】
【００２５】
【図１】本発明に係る放射空調システムの第一の実施の形態を示す概略構成説明図である。
【図２】本発明に係る放射空調システムの第二の実施の形態を示す概略構成説明図である。
【図３】本発明に係る放射空調システムの第三の実施の形態を示す概略構成説明図である。
【図４】本発明に係る放射空調システムの第四の実施の形態を示す概略構成説明図である。
【図５】本発明に係る放射空調システムの第五の実施の形態を示す概略構成説明図である。
【図６】本発明に係る放射空調システムの第六の実施の形態を示す概略構成説明図である。
【図７】本発明に係る放射空調システムの第七の実施の形態を示す概略構成説明図である。
【図８】本発明に係る放射空調システムの第八の実施の形態を示す概略構成説明図である。
【図９】従来技術に係る放射空調システムの一例を概略的に示す縦断面図である。
【発明を実施するための形態】
【００２６】
以下、本発明に係る放射空調システムの種々の実施の形態について、図面を参照しながら説明する。まず図１は、第一の実施の形態を示すものである。
【００２７】
図１における参照符号１は室内空間であり、１１は室内空間１を画成する天井面、１２は壁面、１３は床面である。天井面１１には放射パネル２が離間配置され、壁面１２には室内空間１の空気を取り込んで天井面１１と放射パネル２の裏面との間の空調空気流通空間Ｓ１へ空調空気を供給する空調機（ヒートポンプ式空調機における室内機）３が取り付けられており、空調空気流通空間Ｓ１は室内空間１へ開放されている。なお、天井面１１は請求項１に記載された「室内空間を区画する面」に相当する。
【００２８】
放射パネル２としては、好ましくは熱抵抗が小さく（熱伝導性が良く）、かつ透湿性を有する薄肉の硬質繊維板（たとえば厚さ２．５ｍｍのハードボード）が採用され、空調機３からの空調空気（冷却・除湿空気又は加熱空気）は、通風管３１を介して空調空気流通空間Ｓ１へ送られるようになっている。
【００２９】
上記構成において、夏季に冷房を行う場合は、ユーザーが不図示のリモコン等の操作によって空調機３を冷房運転させると、まず空調機３からの冷却空気が通風管３１を介して空調空気流通空間Ｓ１へ送られる。そしてこの冷却・除湿空気が空調空気流通空間Ｓ１を通過する過程で、熱抵抗の小さい放射パネル２の裏面（上面）を擦過することによってこの放射パネル２との熱交換が行われ、すなわち放射パネル２が冷却されるので、先に説明した式（１）におけるｔ２が低下し、この放射パネル２の表面（下面）から室内空間１への冷熱の放射ＴＲが行われる。なお、この場合、実際には、冷却された放射パネル２からの熱（赤外線）の放射強度は著しく低いものとなるので、ヒトの体表面などから放射された熱が、冷却された放射パネル２の表面で反射せずに吸収されることによって冷感を感じるものであるが、ここでは便宜的に、放射パネル２からの放射ＴＲによる冷感を感じるものとする。
【００３０】
一方、放射パネル２と熱交換されることによって適宜昇温した冷却空気は、空調空気流通空間Ｓ１の開放端部から室内空間１へ流出し、対流によって室内空間１を下降する。そしてこの冷却空気の流れは、空調空気流通空間Ｓ１での拡散や摩擦によって減速されていることに加え、上述のように、放射パネル２との熱交換によって適宜昇温しているため、室内対流による下降速度が緩やかであり、しかもこの下降気流は放射パネル２の周囲から壁面１２に沿って発生する。このため不快な気流感が抑えられて、例えば横臥位にあるユーザーは、主として放射パネル２からの放射ＴＲによる冷感を感じることとなる。
【００３１】
また、空調機３は室内空間１の空気を取り込んで冷却・除湿するため、室内空間１の水蒸気量が減少する。詳しくは、室内空間１内の空気が空調機３に取り込まれて冷却される際には、空気に含まれる水蒸気が飽和して凝縮され、液化して建物の外部へ排出されるので、空調空気流通空間Ｓ１へ供給される冷却空気は湿度が低いものとなっている。このため透湿性を有する放射パネル２に吸収された水蒸気が浸透圧によって空調空気流通空間Ｓ１へ効率良く放湿され、その後、室内空間１を経由して空調機３に取り込まれて凝縮され、除去されることになる。またこのとき、空調機３内で水蒸気が液化する際の潜熱もヒートポンプ機構によって建物の外部へ放出されるため、室内空間１の水蒸気量が減少するのである。
【００３２】
また、従来の放射空調システムのように天井裏の空間全体を冷却する必要がないことに加え、空調空気流通空間Ｓ１を通過した冷却空気が室内空間１の上部へ流出するようにしたため、放射冷房の立ち上がりの悪さが改善され、短時間で快適な環境とすることができる。さらに、式（１）におけるｔ２が低下するため、一般的な対流型（空気噴流型）の空調システムに比較して室温（式（１）における空気の温度ｔ１）を高く設定することができ、このため例えば窓を開けて換気を行う場合の外気との温度差が小さくなって熱損失も小さく抑えられ、その結果、省エネルギーに寄与することができる。
【００３３】
しかも、放射パネル２を構成する硬質繊維板は透湿性を有するため、空調空気流通空間Ｓ１を通過する冷却空気で冷却されることによって放射パネル２の放射面（室内空間１を向いた面）に結露を生じるのを防止することができ、このため、結露に伴う潜熱放出による放射冷房効率の悪化も防止することができる。
【００３４】
次に、冬季に暖房を行う場合は、ユーザーが不図示のリモコン等の操作によって空調機３を暖房運転させると、まず空調機３からの加熱空気が通風管３１を介して空調空気流通空間Ｓ１へ送られる。そしてこの加熱空気が空調空気流通空間Ｓ１を通過する過程で放射パネル２との熱交換が行われ、すなわち放射パネル２が加熱されるので、先に説明した式（１）におけるｔ２が高くなり、この放射パネル２によって室内空間１への熱の放射ＴＲが行われる。
【００３５】
一方、放射パネル２と熱交換されることによって適宜降温した加熱空気は、空調空気流通空間Ｓ１の開放端部から室内空間１へ流出し、室内空間１の上部（ヒトの身長より高い領域）に滞留する。このためヒトの生活空間内での上下温度分布差や気流による不快感が抑えられて、例えば横臥位にあるユーザーは、主として放射パネル２からの放射ＴＲによる温感を感じるものとなる。
【００３６】
また、従来の放射空調システムのように天井裏の空間全体を温める必要がないので、放射暖房の立ち上がりの悪さが改善され、短時間で快適な環境とすることができる。さらに、式（１）におけるｔ２を上昇させるため、一般的な対流型（空気噴流型）の空調システムに比較して室温（式（１）における空気の温度ｔ１）を低く設定することができる。しかも空調空気流通空間Ｓ１から流出した加熱空気は室内空間１の上部に滞留しており、室内空間１の下部の空気は比較的低温であるため、例えば窓を開けて換気を行う場合の外気との温度差が小さくなって熱損失も小さく抑えられ、その結果、省エネルギーに寄与することができる。
【００３７】
さらに、夏季の冷房時には、空調機３によって室内空間１の空気が除湿されることに加え、上述のように、室温を高く設定できることから、夏の室内の相対湿度が低めにシフトし、冬季の暖房時には室温を低く設定できることから、冬の室内の相対湿度が高めにシフトすることになる。したがって快適な湿度環境を創出することができる。また先に説明したように、横臥位にあるユーザーは、主として放射パネル２からの放射による穏やかな冷感や温感を与えられるので、住宅の寝室、老人福祉施設の個室など、人が仰臥位もしくは低代謝でいる時間が長い室内の空調手段として効果的である。
【００３８】
しかも上記構成の放射空調システムによれば、空調機３などは室内空間１に設置されるものであり、従来のように天井裏に設置する必要がないため、天井裏空間の高さに関係なく施工可能である。またこのため、メンテナンスなども容易に行うことができる。
【００３９】
なお、図１に示す例では、空調機３からの空調空気を放射パネル２の裏面の中央部に垂直に吹き付けて拡散させるようにしているが、温度を均一化させるには、後述する各形態のように、空調空気を放射パネル２と平行な方向へ供給することも好適である。
【００４０】
図２は、本発明に係る放射空調システムの第二の実施の形態を示すものである。この第二の実施の形態は、上述した第一の実施の形態の構成に加えて、天井面１１のうち空調空気流通空間Ｓ１を介して放射パネル２と対向する位置に、例えば発泡樹脂保温材等からなる断熱板４を設けたものである。
【００４１】
このように構成すれば、空調空気流通空間Ｓ１が放射パネル２と断熱板４の間に形成されることになり、したがって空調機３から通風管３１を介して送られる空調空気（冷却・除湿空気又は加熱空気）は、空調空気流通空間Ｓ１を通過する過程で天井面１１への伝熱が遮断されるので熱損失が小さくなり、放射パネル２からの室内空間１への放射効率を高めると共に、空調空気流通空間Ｓ１の開放端部から室内空間１へ流出する空調空気による調温効率を高めることができる。
【００４２】
特に冷房運転時に、空調空気流通空間Ｓ１を通る冷却空気によって天井面１１が冷却されないので、天井面１１での結露の発生を防止することができる。
【００４３】
なお、放射パネル２と断熱板４との間隔（空調空気流通空間Ｓ１の高さ）Ｌ１は狭いほど熱効率は良くなるが空気抵抗が大きくなり、広いほど抵抗は小さくなるが、広すぎると暖房運転時において空調空気流通空間Ｓ１へ供給された加熱空気が放射パネル２と接触せずに上昇してしまいやすく、熱効率が低下するので、１０〜５０ｍｍ程度とするのが好ましい。そしてこのような間隔Ｌ１を保つために、放射パネル２と断熱板４の間に不図示のスペーサを介在させて、この放射パネル２と断熱板４を天井面１１に取り付ける。
【００４４】
図３は、本発明に係る放射空調システムの第三の実施の形態を示すものである。この第三の実施の形態は、上述した第二の実施の形態の構成に加えて、放射パネル２に、室内空間１を照明する照明器具５を取り付けたものである。この場合、照明器具５への電気配線は空調空気流通空間Ｓ１を利用して行うことができる。
【００４５】
このように構成すれば、本発明に係る放射空調システムを設けずに天井面１１に照明器具５を取り付けた場合とほぼ同様の室内照明を確保することができる。なおこの場合、照明器具５の周囲の領域で放射パネル２からの放射ＴＲが行われる。
【００４６】
図４は、本発明に係る放射空調システムの第四の実施の形態を示すものである。この第四の実施の形態は、上述した第二の実施の形態の構成に加えて、断熱板４における空調空気流通空間Ｓ１側の面及び（又は）天井面１１側の面に、薄膜状の金属、例えばアルミニウムからなる反射材４１を貼着したものである。
【００４７】
このように構成すれば、空調空気流通空間Ｓ１を通過する空調空気（冷却・除湿空気又は加熱空気）から、断熱板４側へ放射される熱が、断熱板４における空調空気流通空間Ｓ１側の面を覆う反射材４１によって放射パネル２側へ反射されるので、断熱板４自体への伝熱による熱損失が低減するばかりでなく、放射パネル２への放射熱の入射量も増加する。したがって放射パネル２からの室内空間１への放射効率を高めると共に、空調空気流通空間Ｓ１の開放端部から室内空間１へ流出する空調空気による調温効率を高めることができる。また、天井面１１からの放射熱は、断熱板４における天井面１１側の面を覆う反射材４１によって天井面１１側へ反射される。
【００４８】
図５は、本発明に係る放射空調システムの第五の実施の形態を示すものである。この第五の実施の形態は、先に説明した第二の実施の形態の構成において、放射パネル２における空調空気流通空間Ｓ１と反対側（室内空間１側）の面に意匠性を高めるためにクロス材２１を貼着し、このクロス材２１には、放射パネル２の透湿性を損なうことのないように、透湿クロス材を採用したものである。
【００４９】
図６は、本発明に係る放射空調システムの第六の実施の形態を示すものである。この第六の実施の形態は、先に説明した第二の実施の形態における断熱板４を、天井面１１に対して均一な所要の間隔Ｌ２をもって離間配置し、適当な吊金具４２などを介して取り付けたものである。
【００５０】
このように構成すれば、天井面１１の凹凸や天井面１１に配置された埋め込み照明器具、スピーカーなどの器具１４との干渉を回避することができ、あるいは断熱板４と天井面１１の間の空間Ｓ２を利用することで電気配線や器具１４の配置の自由度を高めることができる。しかも空間Ｓ２に存在する空気層の有する熱抵抗によって、断熱板４から天井面１１への伝熱による熱損失も低減されるので、放射パネル２からの熱放射効率、及び空調空気流通空間Ｓ１の開放端部から室内空間１へ流出する空調空気による調温効率の向上にも貢献することができる。
【００５１】
図７は、本発明に係る放射空調システムの第七の実施の形態を示すものである。この第七の実施の形態は、空調空気流通空間Ｓ１の外周部のうち、空調機３の吹き出し口から延びる通風管３１の下流端部の開口位置側の領域を、放射パネル２の外周部の一部に一体的に取り付けた堰き止め部２２によって平面形状コ字形に取り囲み、この堰き止め部２２によって、空調空気流通空間Ｓ１から室内空間１への空調空気の流出範囲を制限したものである。なお、図７に示されていないその他の部分は、先に説明した図１〜図６に示すいずれの構成を採用しても良い。
【００５２】
このように構成すれば、空調機３から通風管３１を介して空調空気流通空間Ｓ１へ送られた空調空気は、堰き止め部２２によって堰き止められていない図中右側の開放端部へ向けて案内され、この開放端部から室内空間１へ流出することになる。したがって、空調空気により冷却又は加熱される放射パネル２の表面（放射面）の温度ムラができにくくなって、室内空間１への放射の均一化を図ることができる。
【００５３】
図８は、本発明に係る放射空調システムの第八の実施の形態を示すものである。この第八の実施の形態は、上述した図７と同様、空調空気流通空間Ｓ１の外周部を、放射パネル２の外周部の一部に一体的に取り付けた堰き止め部２２によって平面形状コ字形に取り囲んだ構成に加え、この堰き止め部２２によって囲まれた領域を、図中右側の開放端部へ向けて延びる仕切り部２３によって複数の流路Ｓ１ａ，Ｓ１ｂに分割し、空調機３の吹き出し口から延びる通風管３１を、ダンパ３２を介して選択的に切り替え開閉可能な複数の分岐通風管３１ａ，３１ｂに分岐して、その下流端部を前記各流路Ｓ１ａ，Ｓ１ｂに開口させたものである。なお、図８に示されていないその他の部分は、先に説明した図１〜図６に示すいずれの構成を採用しても良い。
【００５４】
このように構成すれば、ダンパ３２によって分岐通風管３１ａ，３１ｂの開閉を切り替えることで、空調機３からの空調空気を、空調空気流通空間Ｓ１における流路Ｓ１ａ，Ｓ１ｂのいずれかへ選択的に供給することができ、これによって放射領域を任意に変更することができる。
【００５５】
なお、放射領域の変更手段としてはダンパ３２によるもののほか、仕切り部２３の移動によるもの等も考えられる。
【００５６】
また、上述の各実施の形態では、放射パネル２（及び断熱板４）を天井面１１に配置したが、本発明はこれに限定するものではなく、例えば壁面１２に平行に設置しても良い。このように構成した場合は、壁面と放射パネルの間、あるいは壁面に設置した断熱板と放射パネルの間に形成される空調空気流通空間内を空調空気が通過することで、横からの放射が行われる。
【００５７】
なお、上述のように、本発明によればヒートポンプなどの空調機の室内機は居室内に設置できるという利点があるが、空気の取り入れ口及び噴き出し口が居室内にあれば、室内機の設置個所は特に限定されず、すなわち居室の天井裏や廊下の天井裏、あるいはクロゼット内などに設置することも可能である。
【符号の説明】
【００５８】
１  室内空間
１１  天井面（室内空間を区画する面）
１２  壁面（室内空間を区画する面）
１３  床面（室内空間を区画する面）
２  放射パネル
２１  クロス材
２２  堰き止め部
２３  仕切り部
３  空調機
３２  ダンパ
４  断熱板
４１  反射材
Ｓ１  空調空気流通空間
Ｓ１ａ，Ｓ１ｂ  流路
【図１】
2016003808.tif 000004
【図２】
2016003808.tif 000005
【図３】
2016003808.tif 000006
【図４】
2016003808.tif 000007
【図５】
2016003808.tif 000008
【図６】
2016003808.tif 000009
【図７】
2016003808.tif 000010
【図８】
2016003808.tif 000011
【図９】
2016003808.tif 000012